(57)【特許請求の範囲】
【請求項１】
印字機構によって用紙に印字を行う一方、用紙を搬送機構によって印字機構の下流側に設けた用紙排出経路に排出して印字動作を行い、用紙排出経路に手作業によって用紙を切断するときに使用されるカッター溝が設けられた印字装置における用紙切断補助構造であって、前記カッター溝の近傍にこれに平行に用紙の幅方向に延びる受け面を設け、該受け面に対向して細長状の紙押さえ部材を前記受け面に密着する位置と該受け面から離反する位置との間で前後動可能に設け、前記紙押さえ部材の上面に前記カッター溝に沿った方向にカッターを案内するためのカッターガイドを設け、前記紙押さえ部材を前記用紙の上から前記受け面に密着可能とし、前記紙押さえ部材と前記受け面との密着面を床面に対して略垂直な平面とし、前記カッターガイドを、前記カッター溝に対して平行な方向に延びる面又は線を形成する部材により構成し、前記紙押さえ部材を前記受け面から離反した位置に脱着可能に係止する係止機構を設けたことを特徴とする印字装置における用紙切断補助構造。
【請求項２】
前記受け面と前記紙押さえ部材との間に磁気力が作用する構成とし、該磁気力によって、前記紙押さえ部材が前記用紙の上から前記受け面に密着するようにしたことを特徴とする請求項１に記載の印字装置における用紙切断補助構造。
【請求項３】
前記磁気力は永久磁石の磁気力を使用したことを特徴とする請求項２に記載の印字装置における用紙切断補助構造。
【請求項４】
前記紙押さえ部材を回転自在とし、前記紙押さえ部材を前記受け面に対して回転させて該受け面から剥がすことができるようにしたことを特徴とする請求項２に記載の印字装置における用紙切断補助構造。
【発明の詳細な説明】
【技術分野】
【０００１】
本発明は、インクジェット式等のプリンタ・プロッタ等の印字装置における用紙切断補助構造に関する。
【背景技術】
【０００２】
従来、画像形成装置において、用紙をカットするときに用紙を押さえてカットする構成や、カット位置より下降側に押さえ部材を設けて用紙をカットする構成が知られている（例えば特許文献１参照）。また、用紙を押さえてカットする構造のプリンタは、種々のものが開発されている（例えば特許文献２，３，４，５，６参照）。このように用紙を押さえて切ることや、用紙が用紙ガイドから落ちないように切ることは従来から行われており、手作業で用紙を切る場合などでは、用紙の両端を保持するという構造も知られている（例えば特許文献７参照）。またプリンタでは、手作業により用紙を切断する場合の補助になるカッター溝が従来知られている（例えば特許文献８参照）。
【特許文献１】特開平５−２０１１９０号公報
【特許文献２】特開平２−２２０８７０号公報
【特許文献３】特開平３−１５８２９９号公報
【特許文献４】特開平１１−７８１４０号公報
【特許文献５】特開平１１−９９７１７号公報
【特許文献６】特開２００５−１４０９５号公報
【特許文献７】特開２００７−６２０４５号公報
【特許文献８】特開昭６０−２０３４９９号公報
【発明の開示】
【発明が解決しようとする課題】
【０００３】
カッター（カッターナイフ）を手で持ち、該カッターをプリンタのカッター溝に沿って移動し、印字済みの用紙をカットする場合、押さえ部材で用紙を固定しても、固定部分が少しでも離れていると用紙が動いてしまい、カッターの移動をスムーズに行うことは難しくカッターの移動が不安定になり、綺麗に用紙を切断できないという問題点がある。
本発明は上記問題点を解決することを目的とする。
【課題を解決するための手段】
【０００４】
上記目的を達成するため本発明は、印字機構によって用紙に印字を行う一方、用紙を搬送機構によって印字機構の下流側に設けた用紙排出経路に排出して印字動作を行い、用紙排出経路に手作業によって用紙を切断するときに使用されるカッター溝が設けられた印字装置における用紙切断補助構造であって、前記カッター溝の近傍にこれに平行に用紙の幅方向に延びる受け面を設け、該受け面に対向して細長状の紙押さえ部材を前記受け面に密着する位置と該受け面から離反する位置との間で前後動可能に設け、前記紙押さえ部材の上面に前記カッター溝に沿った方向にカッターを案内するためのカッターガイドを設け、前記紙押さえ部材を前記用紙の上から前記受け面に密着可能としたものである。
また本発明は、前記紙押さえ部材と前記受け面との密着面を床面に対して略垂直な平面としたものである。
また本発明は、前記カッターガイドを、前記カッター溝に対して平行な方向に延びる面又は線を形成する部材により構成したものである。
また本発明は、前記受け面と前記紙押さえ部材との間に磁気力が作用する構成とし、該磁気力によって、前記紙押さえ部材が前記用紙の上から前記受け面に密着するようにしたものである。
また本発明は、前記紙押さえ部材を前記受け面から離反した位置に脱着可能に係止する係止機構を設けたものである。
また本発明は、前記磁気力は永久磁石の磁気力を使用したものである。
また本発明は、前記紙押さえ部材を回転自在とし、前記紙押さえ部材を前記受け面に対して回転させて該受け面から剥がすことができるようにしたものである。
【発明の効果】
【０００５】
本発明は、紙押さえ部材にカッターガイドを設けたので、用紙を落とさないでしかも切断部分近傍を押さえて用紙切断作業が行えるので、容易且つ正確、安全に作業を行うことができる。
【発明を実施するための最良の形態】
【０００６】
以下に本発明の構成を添付した図面を参照して詳細に説明する。
図６は本発明に係るインクジェット印字装置（プリンタ）を示している。プリンタはホストコンピュータからインターフェースを介してイメージデータを受信し、印字ヘッドから用紙などの印字媒体に印刷処理する。プリンタは一対のキャスターの付いた足部材２，２に脚部材４，４が立設され、該脚部材４，４にプリンタの機体６を構成する印字部と用紙ガイド１４が支承されている。
【０００７】
機体６の印字部は開閉自在なカバー８で覆われている。この印字部は印字ヘッドを含む印字機構と用紙搬送機構とから構成されている。なお、印字部の構成は従来公知の一般的なものであり、その説明を省略する。機体６の後方には、ロール紙１０を回転自在に支承する公知の給紙機構１２が配設されている。用紙ガイド１４は、機体６の用紙排出口１６から排出されるロール紙引き出し部分からなる用紙１０ａを機体６の下方に導く、わん曲面からなるガイド面１４ａを有している。
【０００８】
ガイド面１４ａの、用紙１０ａを下向き垂直方向に案内する下部には、ガイド面１４ａの左右方向に延びる帯状の、床面に対して垂直な平坦面からなる受け面１４ｂが、ガイド面１４ａの幅方向の全長にわたって形成されている。前記受け面１４ｂの上縁部には、カッター（図示省略）を受け入れるカッター溝１８が床面に対して水平な方向に、前記ガイド面１４ａの下部の幅方向の全長にわたって形成されている。ロール紙１０のロール部から引き出された用紙１０ａは、機体６内部の印字部に導かれ、ここで用紙搬送機構を構成する駆動ローラと加圧ローラとで挟持される。
【０００９】
更に、用紙１０ａは用紙ガイド１４を経て、機体６の下方に配設された巻き取り機構２０の巻き取りスクローラ２２に導かれ、用紙１０ａの先端が巻き取りスクローラ２２に粘着テープ等で止められている。巻き取り機構２０と給紙機構１２の駆動部は、印字時、コントローラによって自動制御され、ロール紙の、印字部への供給及び印字済み用紙の巻き取りスクローラ２２への巻き取りが自動的に行われるように構成されている。前記用紙ガイド１４の下部には、用紙切断補助部材２４が設けられている。
【００１０】
用紙切断補助部材２４は、全体がコ字状に形成され、前記ガイド面１４ａの受け面１４ｂに対して平行な方向に延びる細長状の紙押さえ部材２６と、取っ手２８と、紙押さえ部材２６の両端にこれに対して直角方向に連結する側部材３０，３０とから構成されている。用紙切断補助部材２４の側部材３０，３０は、前記用紙ガイド１４の両側面１４ｃ，１４ｃの下部に、プリンタの前後方向に移動自在に取り付けられている。
【００１１】
前記紙押さえ部材２６は、図５に示すように、角パイプ３２と帯板３４とから成り、角パイプ３２の後部壁に適宜の間隔を存して、複数個の凹部が穿設され、該凹部に四角形のマグネット３６が同一面となるように埋設されている。マグネット３６は紙押さえ部材２６の、受け面１４ｂと対向する面に、磁気力を利用した脱着自在な吸着面２６ａを構成し、該吸着面２６ａは、前記受け面１４ｂに平行に対向している。前記受け面１４ｂはマグネット３６に対応して磁性材により構成されている。
【００１２】
前記帯板３４の上面や線状の縁部は、上記カッター溝１８の開口部のほぼ直上となるように、平行に対向配置され、該上面や縁部は、カッター（カッターナイフ）をスライド自在に支持し、該カッターをカッター溝１８に沿った直線方向に案内するカッターガイド２６ｂ，２６ｃを構成している。前記側部材３０，３０は細長状の板部材により構成され、長手方向に長穴３８，４０が穿設されている。前記用紙ガイド１４の両側面１４ｃ，１４ｃには、取付金具４１が固設され、該取付金具４１にスライドガイド軸４２，４４が床面に対して水平な方向に所定の間隔を存して固着されている。
【００１３】
前記スライドガイド軸４２，４４は、前記側部材３０，３０の長穴３８，４０に座金を介して挿入配置され、前記紙押さえ部材２６は、前記スライドガイド軸４２，４４によって、前記用紙ガイド１４の受け面１４ｂに対して、接離方向に平行移動自在に支承されている。前記長穴３８，４０は、前記紙押さえ部材２６の前後方向の移動範囲を規定している。前記長穴３８，４０の奥端係止部には、紙押さえ部材２６を用紙ガイド１４に対して限界位置まで引き出し、取っ手２８から手を離したとき、側部材３０，３０が、紙押さえ部材２６の自重により、下向きに若干傾斜するように、傾斜用ガイド部３８ａ，４０ａが形成されている。
【００１４】
図２は、取っ手２８を持ち、紙押さえ部材２６を用紙ガイド１４に対して限界位置まで引き出した状態を示し、図３は、紙押さえ部材２６を限界位置まで引き出し、取っ手２８から手を離したとき、側部材３０，３０が、紙押さえ部材２６の自重により、下向きに若干傾斜した状態を示している。傾斜用ガイド部３８ａは、長穴３８の下位直線部３８ｂに対して、若干下向き直角方向に突出したわん曲部を有し、傾斜用ガイド部４０ａは、長穴４０の上位直線部４０ｂに対して若干上向き直角方向に突出したわん曲部を有している。
【００１５】
図４は、用紙切断補助部材２４の紙押さえ部材２６と側部材３０，３０との結合構造を示している。紙押さえ部材２６の両端の側壁部は、その略中心部が取付軸４６により、側部材３０の前方部に、床面に対して水平な軸線を中心として回転自在に軸支されている。また、側部材３０の、前記取付軸４６に対して前方に所定間隔ずれた位置には、縦方向に延びる弧状の長穴４８が穿設され、該長穴４８に、紙押さえ部材２６の側壁部に突設された軸体５０が、長穴４８に沿ってスライド自在に挿入配置されている。
【００１６】
前記長穴４８は、前記紙押さえ部材２６の前記取付軸４６を中心とする回転範囲を規定している。紙押さえ部材２６と側部材３０，３０との結合構造は左右同一構造である。紙押さえ部材２６の吸着面２６ａが前記受け面１４ｂに対して平行な状態において、軸体５０は、長穴４８ａに当接している。
【００１７】
次に本実施形態の動作について説明する。
印字済み用紙のカッティングを行う場合以外は、通常、用紙切断補助部材２４は、図６に示すように、プリンタの機体６の前方に引き出された状態にあり、紙押さえ部材２６は、用紙ガイド１４に対して、所定間隔前方に離反し、紙押さえ部材２６が用紙１０ａの排出方向の搬送の邪魔にならないようになっている。
【００１８】
このように、紙押さえ部材２６が、用紙ガイド１４に対して、所定間隔前方に引き出された状態において、長穴３８，４０の奥端部は、スライドガイド軸４２，４４に係止されるとともに、紙押さえ部材２６の自重による前記側部材３０，３０の回転モーメントにより、スライドガイド軸４２，４４が傾斜用ガイド部３８ａ，４０ａに嵌入し、側部材３０，３０が、図３中、スライドガイド軸４２を中心として、時計方向に若干傾いている。
【００１９】
この傾斜状態において、人や物が誤って紙押さえ部材２６にぶつかり、これを前方に押圧しても、この紙押さえ部材２６にかかる押圧力は、スライドガイド軸４２，４４を介して、傾斜用ガイド部３８ａ，４０ａの係止用のわん曲面に、長穴３８，４０の長手方向に対して角度を有してかかるため、簡単に、スライドガイド軸４２，４４が、傾斜用ガイド部３８ａ，４０ａから外れることがなく、紙押さえ部材２６の、用紙ガイド１４方向への移動が脱着可能な状態で阻止される。
【００２０】
プリンタの印字動作がスタートすると、用紙搬送機構の駆動ローラが用紙排出方向に間欠回転し、駆動ローラと加圧ローラとで挟持された、印字作業面上の用紙１０ａは、用紙排出方向に間欠的に搬送される。また、給紙機構１２から順次、駆動ローラと加圧ローラ間に用紙１０ａが供給される。一方、印字ヘッドが機体６の印字作業面上の用紙１０ａを横切る方向にインクを吐出しながら往復移動し、印字作業面上の用紙１０ａに画像、文字、記号等の印字が行われる。
【００２１】
用紙排出口１６から排出される用紙１０ａは、用紙ガイド１４を経て、テンションバー５２により一定の負荷が与えられた状態で巻き取りスクローラ２２に巻き取られる。尚、テンションバー５２は揺動自在なアームに支承され、自重あるいはばね力で用紙１０ａに圧接しこれにテンションを付与している。印字が終了し、用紙１０ａを切断する場合には、カッター溝１８の位置まで用紙の切断部分をプリンタの用紙搬送機構を利用して搬送し、その後に用紙１０ａを切断部分の近傍で動かないように固定するため、作業者は、紙押さえ部材２６を、取っ手２８を手で持って、若干持ち上げ、側部材３０，３０を水平とし、しかる後に、紙押さえ部材２６を用紙ガイド１４に接近する方向に押動する。
【００２２】
紙押さえ部材２６を持ち上げると、スライドガイド軸４２，４４と傾斜用ガイド部３８ａ，４０ａとの係合が解除されるので、紙押さえ部材２６の押動が可能となる。紙押さえ部材２６を用紙ガイド１４の受け面１４ｂに接触させると、紙押さえ部材２６の吸着面が用紙１０ａの上から、磁気力により、受け面１４ｂに密着し、用紙１０ａは、カッター溝１８の開口部の近傍で、幅方向の全域が、受け面１４ｂと吸着面２６ａとでしっかりと挟持される。該状態において、カッターガイド２６ｂは、図１に示すように、カッター溝１８の開口部の下縁部の近傍に平行に対向する。
【００２３】
作業者は、手で持ったカッターをカッター溝１８に差し入れ、この差し入れた部分の近傍をカッターガイド２６ｂに接触させながら、これに沿ってカッターを移動させ用紙１０ａを切断する。この切断作業は、カッターを、カッター溝１８の直下に平行に延びるカッターガイド２６ｂに支持させながら、カッター溝１８に沿って移動できるので、カッターのカッター溝１８に沿った操作を安定的且つ正確に行うことができる。また用紙を押さえているので本実施形態のように用紙にテンションを与えて巻き取る機構を採用している場合でも切断した部分から未切断部分に広がる用紙の破断を防ぐことができ、また印字物も保持されているので落ちて汚れることがない。紙押さえ部材２６を、用紙ガイド１４からなる用紙排出経路の受け面１４ｂから所定間隔離す場合には、そのまま平行に引いても良いのだが、吸着力が強い場合には離れ難いこともあるため、今回の装置では、取っ手２８を手で持ち、紙押さえ部材２６を受け面１４ｂを支点として若干回転させる構造をとっている。
【００２４】
これにより、吸着面２６ａは、図４に示すように、その上縁部２６ｃを残して、受け面１４ｂから離反し、軸体５０は、長穴４８の上端に係止される。これにより、紙押さえ部材２６は、受け面１４ｂとの密着状態から解放され、軽い操作力で引き出し可能な状態となる。該状態で、紙押さえ部材２６を前方に、スライドガイド軸４２，４４が傾斜用ガイド部３８ａ，４０ａに嵌入するまで引き出す。
【００２５】
上記実施形態において、用紙ガイド１４は、用紙排出経路を構成し、また、長穴３８，４０の傾斜用ガイド部３８ａ，４０ａとスライドガイド軸４２，４４は、紙押さえ部材２６を受け面１４ｂから離反した位置に脱着可能に係止する係止機構を構成している。尚、本発明の実施に際し、用紙切断補助部材２４の用紙と接触する部分がインクで汚れた場合などを考え、その部分の張り替えや清掃などが可能な構成としても良い。
【００２６】
また、磁石３６は、電磁石を使用しても良く、その場合には、スイッチを設けて電磁石を制御するようにする。また、紙押さえ部材２６を受け面１４ｂに接離させる機構はモータやソレノイドなどの機構を用いて制御するようにしても良い。また、紙押さえ部材２６のカッター溝１８に近い部分の、カッターガイド２６ｂを構成する部分は、カッターの刃に接触する部分を狭く線接触するように構成しておくと、カッターの移動がスムーズになるので用紙が切り易く、しかもカッターの刃が短くても切断ができるので安全に切断作業をする事ができる。また、紙押さえ部材２６を印字中、動かなくする構造は、プリンタに連動させて、紙押さえ部材２６にロックが掛かる構造としても良い。
【図面の簡単な説明】
【００２７】
【図１】本発明の要部の外観説明図である。
【図２】本発明の要部の外観説明図である。
【図３】本発明の要部の外観説明図である。
【図４】本発明の要部の外観説明図である。
【図５】紙押さえ部材の一部断面外観説明図である。
【図６】印字装置の全体外観説明図である。
【符号の説明】
【００２８】
２       足部材
４       脚部材
６       機体
８       カバー
１０     ロール紙
１０ａ    用紙
１２     給紙機構
１４     用紙ガイド
１４ａ    ガイド面
１４ｂ    受け面
１６     用紙排出口
１８     カッター溝
２０     巻き取り機構
２２     巻き取りスクローラ
２４     用紙切断補助部材
２６     紙押さえ部材
２６ａ    吸着面
２６ｂ    カッターガイド
２８     取っ手
３０     側部材
３２     角パイプ
３４     帯板
３６     マグネット
３８     長穴
３８ａ    傾斜用ガイド部
４０     長穴
４０ａ    傾斜用ガイド部
４１    取付金具
４２   スライドガイド軸
４４    スライドガイド軸
４６    取付軸
４８    長穴
５０    軸体
５２    テンションバー
【図１】
0005089343.tif 000002
【図２】
0005089343.tif 000003
【図３】
0005089343.tif 000004
【図４】
0005089343.tif 000005
【図５】
0005089343.tif 000006
【図６】
0005089343.tif 000007